(57)【要約】【課題】  設定条件を簡便に設定する。【解決手段】  制御部１１は、タグ検出部１１ａによって検出された通信可能なタグ５のメモリ５１の識別情報記憶部５１ａからリーダライタ部１６を介して識別情報を受信する識別情報受信部１１ｂと、タグ検出部１１ａによって検出された通信可能なタグ５のメモリ５１の設定情報記憶部５１ｂからリーダライタ部１６を介して設定情報を受信する設定情報受信部１１ｃと、設定情報受信部１１ｃによって受け付けられた設定情報及び操作表示制御部１１ｆによって受け付けられた操作情報に従って各種装置の設定条件を設定する条件設定部１１ｇとを備えている。【選択図】      図４
2005079800.tif 000002
【特許請求の範囲】
【請求項１】
ユーザによって携帯され、画像処理装置の設定情報を格納して情報の近距離無線による送信が可能なタグから前記設定情報の受信を行う画像処理装置であって、
通信可能なタグから前記設定情報を受信する設定情報受信手段と、
前記設定情報受信手段によって受信された設定情報を用いて画像処理に関する設定条件を設定する条件設定手段とを備えることを特徴とする画像処理装置。
【請求項２】
前記設定情報を表示して外部からの操作を受け付けて前記設定情報を変更可能な表示操作手段を備え、
前記条件設定手段は、前記表示操作手段によって変更された設定条件を設定することを特徴とする請求項１に記載の画像処理装置。
【請求項３】
前記設定情報受信手段によって受信された設定情報を格納する設定情報記憶手段を備え、
前記タグは、ユーザの識別情報を格納しており、
前記設定情報受信手段は、前記識別情報を受信し、
前記設定情報記憶手段は、前記識別情報と対応付けて前記設定情報を格納し、
前記表示操作手段は、前記設定情報記憶手段に格納された前記識別情報を選択可能に表示し、
前記条件設定手段は、前記表示操作手段によって選択された識別情報に対応する設定情報を前記設定情報記憶手段から読み出して設定することを特徴とする請求項１または２に記載の画像処理装置。
【請求項４】
前記設定情報を前記タグに送信する設定情報送信手段を備え、
前記タグは、情報の無線による受信が可能であり、前記設定情報送信手段から前記設定情報が受信された場合に、格納されている設定情報を受信された設定情報に更新することを特徴とする請求項１〜３のいずれかに記載の画像処理装置。
【請求項５】
前記画像処理装置は、複写機であって、
前記設定情報は、用紙選択情報、濃度設定情報及び拡縮倍率情報の少なくともいずれか１の情報を含むことを特徴とする請求項１〜４のいずれかに記載の画像処理装置。
【請求項６】
前記画像処理装置は、電話回線に接続されたファクシミリであって、
前記設定条件は、送信先の電話番号情報を含むことを特徴とする請求項１〜４のいずれかに記載の画像処理装置。
【請求項７】
前記画像処理装置は、複数のクライアント端末装置とネットワークを介して接続されたネットワークファクシミリであって、
前記設定条件は、送信先の電子メールアドレスを含むことを特徴とする請求項１〜４のいずれかに記載の画像処理装置。
【請求項８】
ユーザによって携帯され、ユーザの識別情報を格納して情報の近距離無線による送信が可能なタグから前記識別情報の受信を行う画像処理装置であって、
通信可能なタグから前記識別情報を受信する識別情報受信手段と、
前記識別情報受信手段によって受信された識別情報を用いて画像処理に関する設定条件を設定する条件設定手段とを備えることを特徴とする画像処理装置。
【請求項９】
前記画像処理装置は、複数のクライアント端末装置とネットワークを介して接続されたネットワークプリンタであって、
前記条件設定手段は、スプールされている文書情報の中から、前記識別情報受信手段によって受信された識別情報に対応する文書情報を優先的に出力するように設定条件を設定することを特徴とする請求項８に記載の画像処理装置。
【請求項１０】
前記識別情報と対応付けて画像処理装置の設定情報を格納する設定情報記憶手段を備え、
前記条件設定手段は、前記識別情報受信手段によって受信された識別情報に対応する設定条件を前記設定情報記憶手段から読み出して設定することを特徴とする請求項８に記載の画像処理装置。
【請求項１１】
前記画像処理装置は、複写機、ファクシミリ、ネットワークファクシミリ及びネットワークプリンタの少なくとも２以上の機能を有する複合機であることを特徴とする請求項１または８に記載の画像処理装置。
【発明の詳細な説明】
【技術分野】
【０００１】
本発明は、ユーザによって携帯され、画像処理装置の設定情報等を格納して情報の近距離無線による送信が可能なタグから前記設定情報等の受信を行う画像処理装置に関するものである。
【背景技術】
【０００２】
電話回線に接続されたファクシミリによって、文書を相手先のファクシミリに送信する場合には、相手先の電話番号を入力する必要がある。従来、相手先の電話番号を入力する操作を容易化するために、複数の相手先の電話番号を格納（登録）しておき、操作情報を表示すると共に外部からの操作を受け付けるタッチパネル及びＬＣＤ等からなる表示操作部に複数の相手先の電話番号（又は、相手先の会社名、氏名等）を表示して、その中から所望する相手先の電話番号の選択入力を受け付けるという方法が用いられていた。
【０００３】
しかし、多数のユーザが１台のファクシミリを共用する場合には、各人が使用する相手先の電話番号を全てファクシミリに登録しておく必要があるが、登録するために多大な手間を要すると共に、登録された相手先の電話番号が多大となるため、所望する相手先の電話番号を選択することが困難になる。
【０００４】
そこで、ＩＣカード、磁気カード、ＭＯ、ＣＤ−ＲＯＭ等の可搬型外部記憶媒体に相手先の電話番号を予め格納しておき、可搬型外部記憶媒体をファクシミリに配設された読み取り装置に挿入して、相手先の電話番号を読み取る方法が提案されている（特許文献１参照）。
【０００５】
また、従来のディジタル複写機等にあっては、機能が充実して種々の設定が可能となっている。
【特許文献１】特開平０７−２６４３７７号公報
【発明の開示】
【発明が解決しようとする課題】
【０００６】
しかし、上記のファクシミリでは、可搬型外部記憶媒体をファクシミリに配設された読み取り装置に挿入する必要があるため、多数のユーザが１台のファクシミリを共用する場合には、各ユーザは送信を希望する相手先の電話番号が格納された可搬型外部記憶媒体を持参して自分のデスク等からファクシミリの配設されている場所に移動するが、移動後に可搬型外部記憶媒体を持参することを忘れたことに気付くと、再び自分のデスク等に戻って可搬型外部記憶媒体を取りに行く必要がある。また、可搬型外部記憶媒体をファクシミリに配設された読み取り装置に挿入すること自体が煩わしいという問題がある。
【０００７】
一方、上記の複写機では、設定画面が複雑となり、設定画面の画面構成が多層構造となっていることが多く、ユーザの所望する内容を設定する操作が分かり難く、且つ、煩雑さが有る。
【０００８】
本発明は、上記課題に鑑みてなされたもので、設定条件を簡便に設定できる画像処理装置を提供することを目的とするものである。
【課題を解決するための手段】
【０００９】
請求項１に記載の画像処理装置は、ユーザによって携帯され、画像処理装置の設定情報を格納して情報の近距離無線による送信が可能なタグから前記設定情報の受信を行う画像処理装置であって、通信可能なタグから前記設定情報を受信する設定情報受信手段と、前記設定情報受信手段によって受信された設定情報を用いて画像処理に関する設定条件を設定する条件設定手段とを備えることを特徴としている。
【００１０】
上記の構成によれば、設定情報受信手段によって、通信可能なタグから画像処理装置の設定情報が受信され、条件設定手段によって、設定情報受信手段により受信された設定情報を用いて画像処理に関する設定条件が設定される。
【００１１】
従って、ユーザによって携帯されたタグから受信された設定情報を用いて画像処理に関する設定条件が設定されるため、設定条件が簡便に設定される。
【００１２】
請求項２に記載の画像処理装置は、前記設定情報を表示して外部からの操作を受け付けて前記設定情報を変更可能な表示操作手段を備え、前記条件設定手段が、前記表示操作手段によって変更された設定条件を設定することを特徴としている。
【００１３】
上記の構成によれば、表示操作手段によって、画像処理装置の設定情報が表示されて外部からの操作が受け付けられて設定情報が変更され、条件設定手段によって、表示操作手段により変更された設定条件が設定される。
【００１４】
従って、画像処理装置の設定情報が表示されて外部からの操作が受け付けられて設定情報が変更されるため、タグから受信された設定情報に基づく設定条件がユーザの所望する設定条件に変更され得る。
【００１５】
請求項３に記載の画像処理装置は、前記設定情報受信手段によって受信された設定情報を格納する設定情報記憶手段を備え、前記タグが、ユーザの識別情報を格納しており、前記設定情報受信手段が、前記識別情報を受信し、前記設定情報記憶手段が、前記識別情報と対応付けて前記設定情報を格納し、前記表示操作手段が、前記設定情報記憶手段に格納された前記識別情報を選択可能に表示し、前記条件設定手段が、前記表示操作手段によって選択された識別情報に対応する設定情報を前記設定情報記憶手段から読み出して設定することを特徴としている。
【００１６】
上記の構成によれば、設定情報記憶手段によって、設定情報受信手段により受信された設定情報が格納され、タグには、ユーザの識別情報が格納されており、設定情報受信手段によって、ユーザの識別情報が受信されて、設定情報記憶手段に、ユーザの識別情報と対応付けて画像処理装置の設定情報が格納される。そして、表示操作手段によって、設定情報記憶手段に格納されたユーザの識別情報が選択可能に表示され、条件設定手段によって、表示操作手段により選択されたユーザの識別情報に対応する設定情報が設定情報記憶手段から読み出されて設定される。
【００１７】
従って、表示操作手段により選択されたユーザの識別情報に対応する設定情報が設定情報記憶手段から読み出されて設定されるため、他のユーザの識別情報に対応する設定情報が設定可能となり、利便性が向上される。
【００１８】
請求項４に記載の画像処理装置は、前記設定情報を前記タグに送信する設定情報送信手段を備え、前記タグが、情報の無線による受信が可能であり、前記設定情報送信手段から前記設定情報が受信された場合に、格納されている設定情報を受信された設定情報に更新することを特徴としている。
【００１９】
上記の構成によれば、設定情報送信手段によって、画像処理装置の設定情報がタグに送信され、タグは、情報の無線による受信が可能であり、設定情報送信手段から設定情報が受信された場合に、格納されている設定情報が受信された設定情報に更新される。
【００２０】
従って、タグに格納されている設定情報が受信された設定情報に更新されるため、タグに格納されている設定情報を容易に更新することが可能となる。
【００２１】
請求項５に記載の画像処理装置は、前記画像処理装置が、複写機であって、前記設定情報が、用紙選択情報、濃度設定情報及び拡縮倍率情報の少なくともいずれか１の情報を含むことを特徴としている。
【００２２】
上記の構成によれば、画像処理装置が複写機であって、設定情報に、用紙選択情報、濃度設定情報及び拡縮倍率情報の少なくともいずれか１の情報が含まれている。従って、複写機に用紙選択情報、濃度設定情報及び拡縮倍率情報の少なくともいずれか１の情報を簡便に設定することが可能となる。
【００２３】
請求項６に記載の画像処理装置は、前記画像処理装置が、電話回線に接続されたファクシミリであって、前記設定条件が、送信先の電話番号情報を含むことを特徴としている。
【００２４】
上記の構成によれば、画像処理装置が電話回線に接続されたファクシミリであって、設定条件に送信先の電話番号情報が含まれる。従って、ファクシミリに送信先の電話番号情報を簡便に設定することが可能となる。
【００２５】
請求項７に記載の画像処理装置は、前記画像処理装置が、複数のクライアント端末装置とネットワークを介して接続されたネットワークファクシミリであって、前記設定条件が、送信先の電子メールアドレスを含むことを特徴としている。
【００２６】
上記の構成によれば、画像処理装置が複数のクライアント端末装置とネットワークを介して接続されたネットワークファクシミリであって、設定条件に、送信先の電子メールアドレスが含まれる。従って、ネットワークファクシミリに送信先の電子メールアドレスを簡便に設定することが可能となる。
【００２７】
請求項８に記載の画像処理装置は、ユーザによって携帯され、ユーザの識別情報を格納して情報の近距離無線による送信が可能なタグから前記識別情報の受信を行う画像処理装置であって、通信可能なタグから前記識別情報を受信する識別情報受信手段と、前記識別情報受信手段によって受信された識別情報を用いて画像処理に関する設定条件を設定する条件設定手段とを備えることを特徴としている。
【００２８】
上記の構成によれば、識別情報受信手段によって、通信可能なタグからユーザの識別情報が受信される。そして、条件設定手段によって、識別情報受信手段により受信された識別情報を用いて画像処理に関する設定条件が設定される。
【００２９】
従って、ユーザによって携帯されたタグから受信されたユーザの識別情報を用いて画像処理に関する設定条件が設定されるため、設定条件が簡便に設定される。
【００３０】
請求項９に記載の画像処理装置は、前記画像処理装置が、複数のクライアント端末装置とネットワークを介して接続されたネットワークプリンタであって、前記条件設定手段が、スプールされている文書情報の中から、前記識別情報受信手段によって受信された識別情報に対応する文書情報を優先的に出力するように設定条件を設定することを特徴としている。
【００３１】
上記の構成によれば、画像処理装置が複数のクライアント端末装置とネットワークを介して接続されたネットワークプリンタであって、条件設定手段によって、スプールされている文書情報の中から、識別情報受信手段により受信された識別情報に対応する文書情報を優先的に出力するように設定条件が設定される。
【００３２】
従って、スプールされている文書情報の中から、識別情報受信手段により受信されたユーザの識別情報に対応する文書情報が優先的に出力されるため、ネットワークプリンタに出力された印刷文書を取りに行ったユーザが未出力で待たされることが防止され、ユーザの利便性が向上される。
【００３３】
請求項１０に記載の画像処理装置は、前記識別情報と対応付けて画像処理装置の設定情報を格納する設定情報記憶手段を備え、前記条件設定手段が、前記識別情報受信手段によって受信された識別情報に対応する設定条件を前記設定情報記憶手段から読み出して設定することを特徴としている。
【００３４】
上記の構成によれば、設定情報記憶手段にユーザの識別情報と対応付けて画像処理装置の設定情報が格納されており、条件設定手段によって、識別情報受信手段により受信された識別情報に対応する設定情報が設定情報記憶手段から読み出されて設定される。
【００３５】
従って、識別情報受信手段により受信された識別情報に対応する設定情報が設定されるため、設定条件が簡便に設定される。また、設定情報記憶手段にユーザの識別情報と対応付けて画像処理装置の設定情報が格納されているため、タグに設定情報を格納する必要が無く、タグに必要なメモリ容量が削減される。
【００３６】
請求項１１に記載の画像処理装置は、前記画像処理装置が、複写機、ファクシミリ、ネットワークファクシミリ及びネットワークプリンタの少なくとも２以上の機能を有する複合機であることを特徴としている。
【００３７】
上記の構成によれば、画像処理装置が、複写機、ファクシミリ、ネットワークファクシミリ及びネットワークプリンタの少なくとも２以上の機能を有する複合機である。従って、設定条件が簡便に設定される複合機が実現される。
【発明の効果】
【００３８】
請求項１に記載の発明によれば、ユーザによって携帯されたタグから受信された設定情報を用いて画像処理に関する設定条件が設定される構成としたため、設定条件を簡便に設定できる。
【００３９】
請求項２に記載の発明によれば、画像処理装置の設定情報が表示されて外部からの操作が受け付けられて設定情報が変更される構成としたため、タグから受信された設定情報に基づく設定条件をユーザの所望する設定条件に変更できる。
【００４０】
請求項３に記載の発明によれば、表示操作手段により選択されたユーザの識別情報に対応する設定情報が設定情報記憶手段から読み出されて設定される構成としたため、他のユーザの識別情報に対応する設定情報を設定でき、ユーザの利便性を向上できる。
【００４１】
請求項４に記載の発明によれば、タグに格納されている設定情報が受信された設定情報に更新される構成としたため、タグに格納されている設定情報を容易に更新することができる。
【００４２】
請求項５に記載の発明によれば、複写機に用紙選択情報、濃度設定情報及び拡縮倍率情報の少なくともいずれか１の情報を簡便に設定することができる。
【００４３】
請求項６に記載の発明によれば、ファクシミリに送信先の電話番号情報を簡便に設定することができる。
【００４４】
請求項７に記載の発明によれば、ネットワークファクシミリに送信先の電子メールアドレスを簡便に設定することができる。
【００４５】
請求項８に記載の発明によれば、ユーザによって携帯されたタグから受信されたユーザの識別情報を用いて画像処理に関する設定条件が設定される構成としたため、設定条件を簡便に設定できる。
【００４６】
請求項９に記載の発明によれば、スプールされている文書情報の中から、識別情報受信手段により受信されたユーザの識別情報に対応する文書情報が優先的に出力される構成としたため、ネットワークプリンタに出力された印刷文書を取りに行ったユーザが未出力で待たされることを防止でき、ユーザの利便性を向上できる。
【００４７】
請求項１０に記載の発明によれば、識別情報受信手段により受信された識別情報に対応する設定条件が設定されるため、設定条件を簡便に設定できる。また、設定情報記憶手段にユーザの識別情報と対応付けて画像処理装置の設定情報が格納されている構成としたため、タグに設定情報を格納する必要が無く、タグに必要なメモリ容量を削減できる。
【００４８】
請求項１１に記載の発明によれば、設定条件が簡便に設定される複合機が実現できる。
【発明を実施するための最良の形態】
【００４９】
本実施形態においては、画像処理装置が、複写機、ファクシミリ、ネットワークファクシミリ及びネットワークプリンタの機能を有する複合機である場合について説明する。図１は、本発明に係る複合機と他の装置との接続状態を説明する説明図の一例である。
【００５０】
複合機１は、公衆電話回線２１を介して複数のファクシミリ２と通信可能に接続されている。また、複合機１は、インターネット（ＷＷＷ）３１を介して複数のクライアント端末装置３と通信可能に接続されている。更に、複合機１は、ＬＡＮ（ｌｏｃａｌ  ａｒｅａ  ｎｅｔｗｏｒｋ）４１を介して複数のクライアント端末装置４と通信可能に接続されている。
【００５１】
複合機１がファクシミリとして機能する場合には、複合機１は、公衆電話回線２１を介して複数のファクシミリ２と画像データの通信を行い、画像データを送信する際には、後述するスキャナ１２（図２参照）から原稿の画像データを読み込み、後述するファクシミリ通信部１８（図２参照）及び公衆電話回線２１を介して画像データをファクシミリ２に送信し、画像データを受信する際には、ファクシミリ２からの画像データをファクシミリ通信部１８及び公衆電話回線２１を介して受信し、後述するプリンタ部１３によって記録用紙上に画像を形成するものである。
【００５２】
複合機１がネットワークファクシミリとして機能する場合には、複合機１は、インターネット３１を介して複数のクライアント端末装置３と画像データの通信を行い、画像データを送信する際には、後述するスキャナ１２（図２参照）から原稿の画像データを読み込み、後述するインターフェイス部１９（図２参照）及びインターネット３１を介して画像データをクライアント端末装置３に送信し、画像データを受信する際には、クライアント端末装置３からの画像データをインターフェイス部１９及びインターネット３１を介して受信し、後述するプリンタ部１３（図２参照）によって記録用紙上に画像を形成するものである。
【００５３】
複合機１がネットワークプリンタとして機能する場合には、複合機１は、ＬＡＮ４１を介してクライアント端末装置４から画像データの受信し、後述するプリンタ部１３（図２参照）によって記録用紙上に画像を形成するものである。なお、複合機１が複写機として機能する場合には、複合機１は、後述するスキャナ１２（図２参照）から原稿の画像データを読み込み、後述するプリンタ部１３によって記録用紙上に画像を形成するものである。
【００５４】
図２は、複合機１の構成図の一例である。複合機１は、複合機１全体の動作を制御する制御部１１と、原稿に印刷（又は記載）された画像を読み取り画像データを形成するスキャナ部１２と、画像データから画像を記録用紙に形成するプリンタ部１３と、タッチパネル等からなりユーザの操作を受け付ける操作部１４（操作表示手段の一部に相当する）と、ＬＣＤ（ｌｉｑｕｉｄ  ｃｒｙｓｔａｌ  ｄｉｓｐｌａｙ）等からなり操作のガイダンス情報等を表示する表示部１５（操作表示手段の一部に相当する）と、ユーザの識別情報及び複合機１の設定情報が格納されたタグ５（図３参照）と通信してタグ５に格納された情報の読み取り及び書き込みを行うリーダライタ部１６（タグ検出手段、識別情報受信手段、設定情報受信手段及び設定情報送信手段の一部に相当する）と、画像データを格納する画像メモリ１７と、ファクシミリ２との画像データの送受信処理を行うファクシミリ通信部１８と、クライアント端末装置３との画像データの送受信処理を行うインターフェイス部１９とを備えている。
【００５５】
制御部１１は、ＣＰＵ（ｃｅｎｔｒａｌ  ｐｒｏｃｅｓｓｉｎｇ  ｕｎｉｔ）、表示部１５に表示される各種の画像情報及び制御プログラム等を格納するＲＯＭ（ｒｅａｄ  ｏｎｌｙ  ｍｅｍｏｒｙ）、処理データを一時的に格納するＲＡＭ（ｒａｎｄｏｍ  ａｃｃｅｓｓ  ｍｅｍｏｒｙ）等を備え、操作部１４からユーザの操作情報を受け付けて複合機１全体の動作を制御するものである。
【００５６】
スキャナ部１２は、原稿載置部（図示省略）にセットされた原稿を読み取り、ライン単位で画像信号に変換し、この画像信号に所定の信号処理（レベル補正、γ補正、Ａ／Ｄ変換等）を施して、順位制御部１１に出力することによって、スキャナ機能を発揮するものである。
【００５７】
プリンタ部１３は、画像データを記録用紙にプリントアウトすることによってプリンタ機能（又はコピー機能）を発揮するものである。このプリンタ部１３は、例えば、レーザプリンタ等からなり、画像データで変調されたレーザ光を感光体に照射して当該画像データからなる画像の潜像を形成するとともに、この潜像にトナーを静電的に付着して顕在化し、この顕像を記録用紙に転写して画像を形成するものである。
【００５８】
操作部１４は、例えば、タッチパネル等からなり、ユーザの操作を受け付けるものである。このタッチパネルは公知の物が採用可能である。例えば、タッチパネルは、長方形状をした薄層体で、縦横にそれぞれ所定ピッチで線状の透明材からなる感圧素材を配列したものを透明カバーで被覆する等により構成されたもので、表示部１５の上面に貼付されている。そして、タッチパネルは表示部１５の画面に表示される選択などを促すボタンのアドレスと押圧位置とからいずれのボタンが指示されたかが判定し得るようにしている。
【００５９】
表示部１５は、ＬＣＤ及びＬＥＤ（Ｌｉｇｈｔ  Ｅｍｉｔｔｅｄ  Ｄｉｏｄｅ）等から構成され、公衆電話回線２１の接続状態、画像情報等の送受信状態等の各種状態や画像データの送信先の情報（ＦＡＸ Ｎｏ．）等を文字情報、画像情報でＬＣＤに表示するとともに、通信エラーの有無及びメンテナンスの要否等をＬＥＤに表示するものである。
【００６０】
リーダライタ部１６は、後述するアンテナ１６ｇを備え、ユーザの識別情報及び複合機１の設定情報が格納されたタグ５（図３参照）と近距離無線により通信し、タグ５に格納された情報の読み取り及び書き込みを行うものである。なお、タグ５及びリーダライタ部１６の詳細については、図３を用いて後述する。
【００６１】
画像メモリ１７は、画像データ等を格納するものであって、例えば、Ａ４サイズの標準原稿に対応する画像データを略１００枚程度記憶することができる大容量メモリである。
【００６２】
ファクシミリ通信部１８は、複合機１がファクシミリとして機能する場合に、公衆電話回線２１を介してファクシミリ２と画像データの送受信処理を行うものであって、符号化／復号化部１８１、変復調部１８２及び網制御部１８３を備えている。符号化／復号化部１８１は、送信すべき画像データの圧縮及び符号化を行うとともに、受信した画像データの伸長及び復号化を行うものである。変復調部１８２は、圧縮／符号化された画像データの音声信号への変調及び受信した信号（音声信号）の画像データへの復調を行うものである。網制御部１８３は、ＮＣＵ（Ｎｅｔｗｏｒｋ  Ｃｏｎｔｒｏｌ  Ｕｎｉｔ）に相当し、送受信相手であるファクシミリ２との公衆電話回線２１の接続を制御するものである。
【００６３】
インターフェイス部１９は、複合機１がネットワークファクシミリとして機能する場合に、クライアント端末装置３との画像データの送受信処理を行うものである。
【００６４】
図３は、タグ５及びリーダライタ部１６の構成図の一例である。タグ５は、ユーザの識別情報及び複合機１の設定情報を格納するＩＣメモリ等からなるメモリ５１と、リーダライタ部１６から各種の情報を送受信すると共にリーダライタ部１６（アンテナ１６ｇ）から電波の高周波電力を受信するループアンテナ等からなるアンテナ５２とを備えている。なお、タグ５は、ユーザに携帯されるものであり、例えば、メモリ５１とアンテナ５２とが略長方形のプラスチックの基板に埋め込まれたカード型である。また、タグ５の動作（各種情報の読出し及び書き込み）に必要な電力は、リーダライタ部１６から電力信号として送信される信号を用いて供給される。
【００６５】
リーダライタ部１６は、制御部１１とデータの授受を行うと共にリーダライタ部１６各部の制御を行うリーダライタ制御部１６ａと、リーダライタ制御部１６ａからのディジタル信号をアナログ信号に変換するＤ／Ａ変換部１６１ｂと、Ｄ／Ａ変換部１６１ｂからの出力を変調する変調部１６１ｃと、変調部１６１ｃからの出力を増幅するアンプ１６１ｄと、アンプ１６１ｄからの出力の内所定の周波数（ここでは、１３．５６ＭＨｚ）以外の周波数の信号を除去するフィルタ１６ｅと、アンテナ１６ｇとのインピーダンス整合をとるマッチング部１６ｆと、各種信号の送受信を行うループアンテナ等からなるアンテナ１６ｇと、アンテナ１６ｇで受信された信号を復調する復調部１６ｈと、復調部１６ｈからのアナログ信号をディジタル信号に変換するＡ／Ｄ変換部１６ｉとを備えている。
【００６６】
なお、タグ５とリーダライタ部１６との間の通信は、例えば、１３．５６ＭＨｚの電磁波によって行われ、タグ５のアンテナ５２とリーダライタ部１６のアンテナ１６ｇとの間の誘導磁束による誘導電圧によって行われる。また、タグ５とリーダライタ部１６との間の通信は、主に、受信信号レベルの点から両者の距離が所定の距離（例えば、１ｍ）以内である場合に可能である（ここでは、このように近距離でのみ可能な通信を近距離通信という）。
【００６７】
図４は、複合機１における本発明の要部の機能構成図の一例である。タグ５のメモリ５１は、ユーザの識別情報を格納する識別情報記憶部５１ａと、複合機１の設定情報を格納する設定情報記憶部５１ｂとを備えている。
【００６８】
制御部１１は、リーダライタ部１６を介して通信可能なタグ５を検出するタグ検出部１１ａ（識別情報受信手段、設定情報受信手段の一部に相当する）と、タグ検出部１１ａによって検出された通信可能なタグ５のメモリ５１の識別情報記憶部５１ａからリーダライタ部１６を介して識別情報を受信する識別情報受信部１１ｂ（識別情報受信手段の一部に相当する）と、タグ検出部１１ａによって検出された通信可能なタグ５のメモリ５１の設定情報記憶部５１ｂからリーダライタ部１６を介して設定情報を受信する設定情報受信部１１ｃ（設定情報受信手段の一部に相当する）と、設定情報受信部１１ｃによって受信された設定情報をユーザの識別情報と対応付けて格納する設定情報記憶部１１ｄ（設定情報記憶手段に相当する）と、操作表示部１１ｆによって受け付けられた選択情報に基づいて対応する設定情報を設定情報記憶部１１ｄから読み出してリーダライタ部１６を介してタグ５に送信する設定情報送信部１１ｅ（設定情報送信手段の一部に相当する）とを備えている。
【００６９】
更に、制御部１１は、操作部１４を介して外部からの操作を受け付けて各機能部に操作指令情報を伝送すると共に各機能部から授受の情報を受け付けて各種情報を表示部１５に表示する操作表示制御部１１ｆ（操作表示手段の一部に相当する）と、設定情報受信部１１ｃによって受け付けられた設定情報及び操作表示制御部１１ｆによって受け付けられた操作情報に従って各種装置の設定条件を設定する条件設定部１１ｇ（条件設定手段の一部に相当する）と、複合機１がファクシミリとして機能する場合の設定条件を設定するファクシミリ制御部１１ｈ（条件設定手段の一部に相当する）と、複合機１がネットワークファクシミリとして機能する場合の設定条件を設定するネットワークファクシミリ制御部１１ｉ（条件設定手段の一部に相当する）と、複合機１がネットワークプリンタとして機能する場合の設定条件を設定するネットワークプリンタ制御部１１ｊ（条件設定手段の一部に相当する）と、複合機１が複写機として機能する場合の設定条件を設定するコピー制御部１１ｋ（条件設定手段の一部に相当する）とを備えている。
【００７０】
識別情報記憶部５１ａは、ユーザの識別情報を格納するものであって、識別情報はいわゆるユーザＩＤであり、例えば、英数字８桁で構成されている。この識別情報記憶部５１ａに格納された識別情報をパスワード等で書き換えが保護されており、特定のユーザ（例えば、複合機１のメンテナンス責任者）のみが書き換え可能に構成されている。
【００７１】
設定情報記憶部５１ｂは、複合機１の設定情報を格納するものであって、複合機１の複写機としての設定条件を格納する領域（以下、複写機領域という）と、複合機１のファクシミリとしての設定条件を格納する領域（以下、ファクシミリ領域という）と、複合機１のネットワークファクシミリとしての設定条件を格納する領域（以下、ネットワークファクシミリ領域という）と、複合機１のネットワークプリンタとしての設定条件を格納する領域（以下、ネットワークプリンタ領域という）とが設けられている。また、設定情報記憶部５１ｂは、設定情報送信部１１ｅから設定情報を受け付けて対応する領域に格納するものである。例えば、設定情報送信部１１ｅから複写機としての設定情報を受け付けた場合には、複合機１の複写機としての設定条件を格納する領域に格納される。
【００７２】
タグ検出部１１ａは、リーダライタ部１６を介して通信可能なタグ５を検出するものであって、リーダライタ部１６と通信可能な位置（例えば、リーダライタ部１６から１ｍ以内の範囲内）にあるタグ５を受信信号レベル等から検出するものである。
【００７３】
識別情報受信部１１ｂは、タグ検出部１１ａによって検出された通信可能なタグ５のメモリ５１の識別情報記憶部５１ａからリーダライタ部１６を介して識別情報を受信して、設定情報記憶部１１ｃ及び操作表示制御部１１ｆに識別情報を出力するものである。
【００７４】
設定情報受信部１１ｃは、タグ検出部１１ａによって検出された通信可能なタグ５のメモリ５１の設定情報記憶部５１ｂからリーダライタ部１６を介して設定情報を受信して、設定情報記憶部１１ｃ及び操作表示制御部１１ｆに設定情報を出力するものである。
【００７５】
設定情報記憶部１１ｄは、設定情報受信部１１ｃによって受信された設定情報をユーザの識別情報と対応付けて格納するものであって、識別情報受信部１１ｂによって受け付けられた識別情報に対応する設定情報を読み出して、設定情報受信部１１ｃによって受信された設定情報と比較し、設定情報受信部１１ｃによって受信された設定情報の方が新しい場合には、設定情報受信部１１ｃによって受信された設定情報を格納する（更新的に記憶する）ものである。
【００７６】
設定情報送信部１１ｅは、操作表示部１１ｆによって受け付けられた選択情報に基づいて対応する設定情報を設定情報記憶部１１ｄから読み出してリーダライタ部１６を介してタグ５に送信するものである。例えば、操作部１４によってユーザから設定条件の変更入力が入力された場合に、変更後の設定情報をリーダライタ部１６を介してユーザの携帯しているタグ５に送信して、タグ５の設定情報記憶部５１ｂに更新的に格納される。
【００７７】
また、例えば、操作部１４によってユーザ（ここでは、ユーザＡとする）から設定情報記憶部１１ｄに格納されている他のユーザ（ここでは、ユーザＢとする）の設定情報をタグ５に書き込む旨の指示が行われた場合には、その旨の指示情報が操作表示制御部１１ｆを介して設定情報送信部１１ｅに入力され、設定情報送信部１１ｅは、ユーザＢに対応する設定情報を設定情報記憶部１１ｄから読み出してリーダライタ部１６を介してユーザＡの携帯しているタグ５に送信し、タグ５の設定情報記憶部５１ｂに格納される。
【００７８】
操作表示制御部１１ｆは、操作部１４を介して外部からの操作を受け付けて各機能部に操作指令情報を伝送すると共に各機能部から授受の情報を受け付けて各種情報を表示部１５に表示するものである。
【００７９】
例えば、複合機１がファクシミリとして機能する場合について説明する。設定情報記憶部１１ｄから識別情報受信部１１ｂによって受信された識別情報に対応する設定情報の内ファクシミリ領域に格納されている送信先情報を読み出して、表示部１５に送信先のリストを表示する。そして、操作部１４を介して表示部１５に表示された送信先のリストから１（または複数）の送信先の指定を受け付けて、条件設定部１１ｇを介してファクシミリ制御部１１ｈに送信先情報を出力する。
【００８０】
そして、操作表示制御部１１ｆは、操作部１４を介してファクシミリの送信を開始する旨の指示情報を受け付けて、スキャナ部１２に対してセットされた原稿を読み取り画像データを生成する旨の指示情報を出力し、出力された画像データを画像メモリ１７に格納する旨の指示情報を出力する。そして、ファクシミリ制御部１１ｈは、受け付けた送信先情報に従って、ファクシミリ通信部１８の網制御部１８３に対して対応する公衆電話回線２１の接続を指示し、回線接続後に画像メモリ１７に格納された画像データを送信する。
【００８１】
条件設定部１１ｇは、設定情報受信部１１ｃによって受け付けられた設定情報及び操作表示制御部１１ｆによって受け付けられた操作情報に従って各種装置の設定条件を、ファクシミリ制御部１１ｈ、ネットワークファクシミリ制御部１１ｉ、ネットワークプリンタ制御部１１ｊ、コピー制御部１１ｋ（これら、４つの制御部を総称して機能実行制御部という）を介して設定するものである。具体的には、操作情報からユーザが複合機１の有するファクシミリ機能、ネットワークファクシミリ機能、ネットワークプリンタ機能及び複写機機能のどの機能を使用するのかを判別して、ファクシミリ制御部１１ｈ、ネットワークファクシミリ制御部１１ｉ、ネットワークプリンタ制御部１１ｊ及びコピー制御部１１ｋの内、対応する制御部に対して設定情報を出力するものである。
【００８２】
特に、条件設定部１１ｇは、操作表示制御部１１ｆによって受け付けられた操作情報によって複合機１がネットワークプリンタとして使用されると判定された場合には、印刷待ち（スプール状態の）文書の内、識別情報受信部１１ｂに対応するクライアント端末装置４から出力された文書を優先して印刷するように設定条件を設定するものである
ファクシミリ制御部１１ｈは、複合機１がファクシミリとして機能する場合の設定条件を条件設定部１１ｇから受け付けて各装置に設定するものである。ネットワークファクシミリ制御部１１ｉは、複合機１がネットワークファクシミリとして機能する場合の設定条件を条件設定部１１ｇから受け付けて各装置に設定するものである。
【００８３】
ネットワークプリンタ制御部１１ｊは、複合機１がネットワークプリンタとして機能する場合の設定条件を条件設定部１１ｇから受け付けて各装置に設定するものである。コピー制御部１１ｋは、複合機１が複写機として機能する場合の設定条件を条件設定部１１ｇから受け付けて各装置に設定するものである。
【００８４】
図５は、複写機１（主に制御部１１）の動作を説明するフローチャートの一例である。まず、タグ検出部１１ａによって、通信可能なタグ５の有無が判定される（ステップＳ１）。通信可能なタグ５が無いと判定された場合（ステップＳ１でＮＯ）には、通信可能なタグ５が有ると判定されるまで待機状態とされる。通信可能なタグ５が有ると判定された場合（ステップＳ１でＹＥＳ）には、識別情報受信部１１ｂによって、タグ５から識別情報が受け付けられる（ステップＳ３）。そして、設定情報受信部１１ｃによって、タグ５から設定情報の更新日時が受け付けられる（ステップＳ５）。
【００８５】
次いで、設定情報記憶部１１ｄによって、識別情報受信部１１ｂにより受け付けられた識別情報に対応する設定情報がタグ５の設定情報記憶部５１ｂから読み出されて、設定情報受信部１１ｃにより受信された設定情報と更新日時が比較され、どちらが新しいデータであるかの判定が行われる（ステップＳ７）。設定情報記憶部５１ｂから読み出された設定情報の方が新しいと判定された場合（ステップＳ７でＹＥＳ）には、ステップＳ１３に処理が進められる。設定情報受信部１１ｃによって受信された設定情報の方が新しいと判定された場合（ステップＳ７でＮＯ）には、設定情報受信部１１ｃによって、タグ５の設定情報記憶部５１ｂから設定情報が受け付けられる（ステップＳ９）。そして、ステップＳ９で受け付けられた設定情報が設定情報記憶部５１ｂに更新的に格納（上書き）される（ステップＳ１１）。
【００８６】
ステップＳ７でＹＥＳの場合、及び、ステップＳ１１の処理が終了した場合には、操作表示制御部１１ｆによって表示部１５に設定情報が表示される（ステップＳ１３）。そして、操作表示制御部１１ｆによって操作部１４を介してユーザからの各種の操作情報が受け付けられる（ステップＳ１５）。
【００８７】
次に、設定情報送信部１１ｅによって、操作表示制御部１１ｆにより受け付けられた操作情報に設定情報を変更する操作情報（例えば、複合機１がファクシミリとして使用された際に、送信先の電話番号が入力された場合の入力情報等）が含まれていたか否かの判定が行われる（ステップＳ１７）。設定情報を変更する操作情報が含まれていない（ステップＳ１７でＮＯ）と判定された場合には、ステップＳ２５に処理が進められる。設定情報を変更する操作情報が含まれていた（ステップＳ１７でＹＥＳ）と判定された場合には、設定情報送信部１１ｅによって、操作表示制御部１１ｆにより受け付けられた操作情報にタグ５に格納された設定情報を更新する旨の操作情報が含まれていた（例えば、複合機１がファクシミリとして使用された際に、入力された送信先の電話番号をタグ５に記憶する旨の入力情報等）か否かの判定が行われる（ステップＳ１９）。設定情報を更新する旨の操作情報が含まれていないと判定された場合（ステップＳ１９でＮＯ）には、ステップＳ２５に処理が進められる。設定情報を更新する旨の操作情報が含まれていたと判定された場合（ステップＳ１９でＹＥＳ）には、設定情報記憶部１１ｄに識別情報に対応付けて設定情報が格納される（ステップＳ２１）。
【００８８】
そして、設定情報送信部１１ｅによって、リーダライタ部１６を介してタグ５に設定情報が送信される（ステップＳ２３）。ステップＳ１７でＮＯの場合、ステップＳ１９でＮＯの場合、ステップＳ２７でＮＯの場合、及び、ステップＳ２３の処理が終了した場合には、操作表示制御部１１ｆによって、操作部１４を介してユーザからの処理実行指示操作（例えば、複合機１がファクシミリとして機能する場合には、画像データの送信を指示する操作であり、複合機１が複写機として機能する場合には、コピーの実行を指示する操作である）が受け付けられたか否かの判定が行われる（ステップＳ２５）。
【００８９】
処理実行指示操作が受け付けられていないと判定された場合（ステップＳ２５でＮＯ）には、操作表示制御部１１ｆによって、ステップＳ３で識別情報が受け付けられてから所定時間（例えば、３分）経過したか否かの判定が行われる（ステップＳ２７）。所定時間経過したと判定された場合（ステップＳ２７でＹＥＳ）には、処理が終了される。所定時間経過したと判定されていない場合（ステップＳ２７でＮＯ）には、ステップＳ２５に戻り処理が継続される。
【００９０】
処理実行指示操作が受け付けられたと判定された場合（ステップＳ２５でＹＥＳ）には、条件設定部１１ｇからファクシミリ制御部１１ｈ、ネットワークファクシミリ制御部１１ｉ、ネットワークプリンタ制御部１１ｊ、コピー制御部１１ｋの内、操作表示制御部１１ｆによって受け付けられた操作情報により指示された処理を実行する機能実行制御部へ設定情報が出力され、機能実行制御部によって、各装置に設定情報が設定され、処理が実行される（ステップＳ２９）。そして、機能実行制御部によって、操作情報により指示された処理が終了したか否かの判定が行われる（ステップＳ３１）。操作情報により指示された処理が終了していないと判定された場合（ステップＳ３１でＮＯ）には、ステップＳ２９に戻り、処理が継続される。操作情報により指示された処理が終了したと判定された場合（ステップＳ３１でＹＥＳ）には、処理が終了される。
【００９１】
図６は、図５に示すフローチャートのステップＳ１５で表示部１５に表示される処理選択画面の画面図の一例である。処理選択画面６００には、画面上側から順に、複合機１を複写機、ファクシミリ、ネットワークファクシミリ及びネットワークプリンタとして機能させる場合にユーザによって押下されるコピーボタン６０１、ファックスボタン６０２、ネットワークファックスボタン６０３及びプリントボタン６０４が表示されている。
【００９２】
ユーザは、処理選択画面６００に表示されたボタンの内、実行を所望する機能に対応するボタン（例えば、ファクシミリ機能を使用したい場合には、ファックスボタン６０２）を押下することによって、複合機１を複写機、ファクシミリ、ネットワークファクシミリ及びネットワークプリンタの内、所望する機能として使用することができる。
【００９３】
図７は、図６に示す処理選択画面６００のコピーボタン６０１が押下された場合に表示部１５に表示されるコピー条件設定画面の画面図の一例である。コピー条件設定画面６１０には、画面左側から順に、ソート条件を設定する場合に操作されるソート条件設定部６１１と、両面または片面印刷を設定する場合に操作される印刷面設定部６１２と、コピー濃度を設定する場合に操作される濃度設定部６１３と、コピーの倍率（拡縮率）を設定する場合に操作される倍率設定部６１４と、コピー用紙を選択する場合に操作される用紙選択部６１５とが表示されている。なお、上記の各設定項目の設定値は、コピー制御部１１ｋによって設定され、タグ５の設定情報記憶部５１ｂの複写機領域に格納されている。
【００９４】
図８は、図６に示す処理選択画面６００のファックスボタン６０２が押下された場合に表示部１５に表示されるファクス送付先設定画面の画面図の一例である。ファクス送付先設定画面６２０には、画面略中央部に送付先リスト表示部６２１と、画面右側に上から順に、全ユーザ共通の送付先リストを送付先リスト表示部６２１に表示する場合に押下される共通ボタン６２２と、送付先リスト表示部６２１に表示される送信先をソートしたい場合に押下されるソートボタン６２３と、送付先リスト表示部６２１に表示された送信先リストの次のページを表示させる場合に押下される次ページボタン６２４と、送付先リスト表示部６２１に表示された送信先リストの前のページを表示させる場合に押下される前ページボタン６２５とが表示されている。
【００９５】
送付先リスト表示部６２１には、左側の欄から順に、一連番号を表示する番号表示部６２１ａと、送信先の部署名等の宛先名を表示する宛先名表示部６２１ｂと、送信先のＦＡＸ番号を表示するＦＡＸ番号表示部６２１ｃとが表示されている。送付先リスト表示部６２１は、行単位に選択可能なボタンとなっており、所望する送信先の表示されている行が押下されることによって送信先が指定される。なお、上記の送信先リストの各項目（一連番号、宛先名、ＦＡＸ番号）は、タグ５の設定情報記憶部５１ｂのファクシミリ領域に格納されている。
【００９６】
図９は、図６に示す処理選択画面６００のネットワークファックスボタン６０３が押下された場合に表示部１５に表示されるネットワークファックス送付先設定画面の画面図の一例である。ネットワークファックス送付先設定画面６３０には、画面略中央部に送付先リスト表示部６３１と、画面右側に上から順に、全ユーザ共通の送付先リストを送付先リスト表示部６３１に表示する場合に押下される共通ボタン６３２と、送付先リスト表示部６３１に表示される送信先をソートしたい場合に押下されるソートボタン６３３と、送付先リスト表示部６３１に表示された送信先リストの次のページを表示させる場合に押下される次ページボタン６３４と、送付先リスト表示部６３１に表示された送信先リストの前のページを表示させる場合に押下される前ページボタン６３５とが表示されている。
【００９７】
送付先リスト表示部６３１には、左側の欄から順に、一連番号を表示する番号表示部６３１ａと、送信先の部署名等の宛先名を表示する宛先名表示部６３１ｂと、送信先の電子メールアドレスを表示するアドレス表示部６３１ｃとが表示されている。送付先リスト表示部６３１は、行単位に選択可能なボタンとなっており、所望する送信先の表示されている行が押下されることによって送信先が指定される。なお、上記の送信先リストの各項目（一連番号、宛先名、電子メールアドレス）は、タグ５の設定情報記憶部５１ｂのネットワークファクシミリ領域に格納されている。
【００９８】
図１０は、図６に示す処理選択画面６００のプリントボタン６０４が押下された場合に表示部１５に表示される印刷待ち文書表示画面の画面図の一例である。印刷待ち文書表示画面６４０には、画面略中央部に印刷待ち文書リストが表示される文書リスト表示部６４１と、画面右側に上から順に、文書リスト表示部６４１に表示される文書名をソートしたい場合に押下されるソートボタン６４２と、文書リスト表示部６４１に表示された印刷待ち文書リストの次のページを表示させる場合に押下される次ページボタン６４３と、文書リスト表示部６４１に表示された印刷待ち文書リストの前のページを表示させる場合に押下される前ページボタン６４４とが表示されている。
【００９９】
文書リスト表示部６４１には、左側の欄から順に、一連番号を表示する番号表示部６４１ａと、発信元の（すなわち、複合機１に印刷指示情報を出力した）クライアント端末装置４の識別情報を表示するクライアント表示部６４１ｂと、印刷する文書名を表示する文書名表示部６４１ｃと、発信元のクライアント端末装置４からの印刷指示情報が複合機１に受け付けられた時刻を表示する時刻表示部６４１ｂが表示されている。文書リスト表示部６３１は、行単位に選択可能なボタンとなっており、所望する文書名の表示されている行が押下されることによって印刷文書が指定される。
【０１００】
ただし、タグ５から識別情報が受信されると、条件設定部１１ｇによって、印刷待ちの文書の中から、受信された識別情報に対応するクライアント端末装置４の識別情報が検索され、そのクライアント端末装置４から出力（印刷指示）された文書がある場合には、その文書の印刷順位が最上位（最も早く印刷される順位）に設定される。なお、上記のクライアント端末装置４の識別情報は、タグ５の設定情報記憶部５１ｂのネットワークプリンタ領域に格納されている。
【０１０１】
このようにして、ユーザによって携帯されたタグ５から受信された設定情報を用いて各種の設定条件が設定されるため、設定条件が簡便に設定される。また、複合機１の設定情報が表示されて外部からの操作が受け付けられて設定情報が変更されるため、タグ５から受信された設定情報に基づく設定条件がユーザの所望する設定条件に変更され得る。また、タグ５に格納されている設定情報が設定情報送信部１１ｅから送信された設定情報に更新されるため、タグ５に格納されている設定情報を容易に更新することが可能となる。
【０１０２】
また、複合機１が複写機として使用される場合には、用紙選択情報、濃度設定情報及び拡縮倍率情報を簡便に設定することが可能となる。複合機１がファクシミリとして使用される場合には、送信先の電話番号情報を簡便に設定することが可能となる。複合機１がネットワークファクシミリとして使用される場合には、送信先の電子メールアドレスを簡便に設定することが可能となる。複合機１がネットワークプリンタとして使用される場合には、出力された印刷文書を取りに行ったユーザが未出力で待たされることが防止され、ユーザの利便性が向上される。
【０１０３】
なお、本発明は、以下の形態にも適用可能である。
【０１０４】
（Ａ）本実施形態では、画像処理装置が複写機、ファクシミリ、ネットワークファクシミリ及びネットワークプリンタの機能を有する複合機である場合について説明したが、複写機、ファクシミリ、ネットワークファクシミリ及びネットワークプリンタの内、少なくともいずれか１つの機能を有する画像処理装置である形態でもよい。
【０１０５】
（Ｂ）本実施形態では、タグ５が識別情報記憶部５１ａ及び設定情報記憶部５１ｂを備える場合について説明したが、タグ５が識別情報記憶部５１ａ及び設定情報記憶部５１ｂの少なくともいずれか一方を備える形態でもよい。例えば、タグ５が識別情報記憶部５１ａを備え、設定情報記憶部５１ｂを備えない形態では、条件設定部１１ｇは、タグ５から受信された識別情報に対応する設定情報を設定情報記憶部１１ｄから読み出して設定すればよい。この場合には、タグ５に必要なメモリ容量が削減される（請求項８に対応する実施形態）。
【０１０６】
（Ｃ）本実施形態では、タグ５がカード型である場合について説明したが、ユーザによる携帯が可能な形態であればよい。例えば、フィルム型、コイン型等の形態でもよい。
【０１０７】
（Ｄ）本実施形態では、リーダライタ部１６からタグ５に電力を供給する場合について説明したが、タグ５が電池等の電源を備える形態でもよい。
【図面の簡単な説明】
【０１０８】
【図１】本発明に係る画像修理装置（複合機）と他の装置との接続状態を説明する説明図の一例である。
【図２】複合機の構成図の一例である。
【図３】タグ及びリーダライタ部の構成図の一例である。
【図４】複合機における本発明の要部の機能構成図の一例である。
【図５】複写機（主に制御部）の動作を説明するフローチャートの一例である。
【図６】図５に示すフローチャートのステップＳ１５で表示部に表示される処理選択画面の画面図の一例である。
【図７】図６に示す処理選択画面のコピーボタンが押下された場合に表示部に表示されるコピー条件設定画面の画面図の一例である。
【図８】図６に示す処理選択画面のファックスボタンが押下された場合に表示部に表示されるファクス送付先設定画面の画面図の一例である。
【図９】図６に示す処理選択画面のネットワークファックスボタンが押下された場合に表示部に表示されるネットワークファックス送付先設定画面の画面図の一例である。
【図１０】図６に示す処理選択画面のプリントボタンが押下された場合に表示部に表示される印刷待ち文書表示画面の画面図の一例である。
【符号の説明】
【０１０９】
１  複合機
１１  制御部
１１ａ  タグ検出部（識別情報受信手段、設定情報受信手段の一部）
１１ｂ  識別情報受信部（識別情報受信手段の一部）
１１ｃ  設定情報受信部（設定情報受信手段の一部）
１１ｄ  設定情報記憶部（設定情報記憶手段）
１１ｅ  設定情報送信部（設定情報送信手段の一部）
１１ｆ  操作表示制御部（操作表示手段の一部）
１１ｇ  条件設定部（条件設定手段の一部）
１１ｈ  ファクシミリ制御部（条件設定手段の一部）
１１ｉ  ネットワークファクシミリ制御部（条件設定手段の一部）
１１ｊ  ネットワークプリンタ制御部（条件設定手段の一部）
１１ｋ  コピー制御部（条件設定手段の一部）
１４  操作部（操作表示手段の一部）
１５  表示部（操作表示手段の一部）
１６  リーダライタ部（タグ検出手段、識別情報受信手段、設定情報受信手段及び設定情報送信手段の一部）
２  ファクシミリ
３  クライアント端末装置
４  クライアント端末装置
５  タグ
５１  メモリ
５１ａ  識別情報記憶部
５１ｂ  設定情報記憶部
【図１】
2005079800.tif 000003
【図２】
2005079800.tif 000004
【図３】
2005079800.tif 000005
【図４】
2005079800.tif 000006
【図５】
2005079800.tif 000007
【図６】
2005079800.tif 000008
【図７】
2005079800.tif 000009
【図８】
2005079800.tif 000010
【図９】
2005079800.tif 000011
【図１０】
2005079800.tif 000012